(57)【要約】    【課題】  電子機器に装着された二次電池の充電又は電子機器に接続された他の電子機器に装着された二次電池の充電に適した定電圧及び定電流をＡＣアダプタから電子機器に供給することができるようにする。    【解決手段】  電子機器１２５とＡＣアダプタ１０１との間に通信手段を設け、電子機器１２５に二次電池１４３，１４７の種類を識別する手段を設け、ＡＣアダプタ１０１に充電出力を変更する手段を設け、電子機器１２５が充電を行う二次電池の情報をＡＣアダプタ１０１に送信し、ＡＣアダプタ１０１は、充電を行う二次電池の充電特性に合わせた充電出力を供給する。【選択図】      図１
2005354874.tif 000002
【特許請求の範囲】
【請求項１】
充電特性が異なる複数種類の二次電池が装着される電子機器と、前記二次電池の充電出力を行うＡＣアダプタとを有する充電システムにおいて、
前記二次電池の種類を識別する二次電池識別手段と、
充電出力を変更する充電出力変更手段とを有し、
前記充電出力変更手段は、前記二次電池識別手段により識別した二次電池の種類に応じて充電出力を変更することを特徴とする充電システム。
【請求項２】
前記二次電池識別手段は、前記電子機器に設け、前記充電出力変更手段は、
前記ＡＣアダプタに設けたことを特徴とする請求項１に記載の充電システム。
【請求項３】
前記電子機器は、画像出力装置であることを特徴とする請求項１または２に記載の充電システム。
【請求項４】
前記画像出力装置は、プリンタであることを特徴とする請求項３に記載の充電システム。
【請求項５】
前記電子機器は、画像入力装置であることを特徴とする請求項１または２に記載の充電システム。
【請求項６】
前記画像入力装置の表示手段を使用して充電状態を表示することを特徴とする請求項５に記載の充電システム。
【請求項７】
前記画像入力装置は、デジタルカメラであることを特徴とする請求項５または６に記載の充電システム。
【請求項８】
前記画像入力装置は、デジタルビデオカメラであることを特徴とする請求項５または６に記載の充電システム。
【請求項９】
第１の二次電池が装着される第１の電子機器と、前記第１の二次電池とは異なる充電特性を有する第２の二次電池が装着される第２の電子機器と、前記第１及び第２の二次電池の充電出力を行うＡＣアダプタとを有する充電システムにおいて、
前記第１及び第２の二次電池の種類を識別する二次電池識別手段と、
充電出力を変更する充電出力変更手段とを有し、
前記充電出力変更手段は、前記二次電池識別手段により識別した二次電池の種類に応じて充電出力を変更することを特徴とする充電システム。
【請求項１０】
前記二次電池識別手段は、前記第１の電子機器及び第２の電子機器にそれぞれ設け、
前記充電出力変更手段は、前記ＡＣアダプタに設けたことを特徴とする請求項９に記載の充電システム。
【請求項１１】
前記第１の電子機器は、画像出力装置であり、前記第２の電子機器は、画像入力装置であることを特徴とする請求項９または１０に記載の充電システム。
【請求項１２】
前記第１の電子機器は、画像出力装置であり、前記第２の電子機器は、画像表示ユニットであることを特徴とする請求項９または１０に記載の充電システム。
【請求項１３】
前記画像入力装置の表示手段を使用して充電状態を表示することを特徴とする請求項１１に記載の充電システム。
【請求項１４】
前記画像出力装置は、プリンタであることを特徴とする請求項１１または１２に記載の充電システム。
【請求項１５】
前記画像入力装置は、デジタルカメラであることを特徴とする請求項１１または１３に記載の充電システム。
【請求項１６】
前記画像入力装置は、デジタルビデオカメラであることを特徴とする請求項１１または１３に記載の充電システム。
【請求項１７】
充電特性がそれぞれ異なる複数種類の二次電池が装着される電子機器と、前記二次電池の充電出力を行うＡＣアダプタとを有する充電システムを制御する制御方法において、
前記二次電池の種類を識別する二次電池識別工程と、
充電出力を変更する充電出力変更工程とを有し、
前記充電出力変更工程は、前記二次電池識別工程により識別した二次電池の種類に応じて充電出力を変更することを特徴とする制御方法。
【請求項１８】
前記電子機器は、画像出力装置であることを特徴とする請求項１７に記載の制御方法。
【請求項１９】
前記電子機器は、画像入力装置であることを特徴とする請求項１７に記載の制御方法。
【請求項２０】
前記画像入力装置の表示手段を使用して充電状態を表示することを特徴とする請求項１９に記載の制御方法。
【請求項２１】
前記画像出力装置は、プリンタであることを特徴とする請求項１８に記載の制御方法。
【請求項２２】
前記画像入力装置は、デジタルカメラであることを特徴とする請求項１９または２０に記載の制御方法。
【請求項２３】
前記画像入力装置は、デジタルビデオカメラであることを特徴とする請求項１９または２０に記載の制御方法。
【請求項２４】
第１の二次電池が装着される第１の電子機器と、前記第１の二次電池とは異なる充電特性を有する第２の二次電池が装着される第２の電子機器と、前記第１及び第２の二次電池の充電出力を行うＡＣアダプタとを有する充電システムを制御する制御方法において、
前記第１及び第２の二次電池の種類を識別する二次電池識別工程と、
充電出力を変更する充電出力変更工程とを有し、
前記充電出力変更工程は、前記二次電池識別工程により識別した二次電池の種類に応じて充電出力を変更することを特徴とする制御方法。
【請求項２５】
前記第１の電子機器は、画像出力装置であり、前記第２の電子機器は画像入力装置であることを特徴とする請求項２４に記載の制御方法。
【請求項２６】
前記第１の電子機器は、画像出力装置であり、前記第２の電子機器は画像表示ユニットであることを特徴とする請求項２４に記載の制御方法。
【請求項２７】
前記画像入力装置の表示手段を使用して充電状態を表示することを特徴とする請求項２５に記載の制御方法。
【請求項２８】
前記画像出力装置は、プリンタであることを特徴とする請求項２５または２６に記載の制御方法。
【請求項２９】
前記画像入力装置は、デジタルカメラであることを特徴とする請求項２５または２７に記載の制御方法。
【請求項３０】
前記画像入力装置は、デジタルビデオカメラであることを特徴とする請求項２５または２７に記載の制御方法。
【発明の詳細な説明】
【技術分野】
【０００１】
本発明は、電子機器に装着された二次電池又は電子機器に接続された他の電子機器に装着された二次電池を充電する充電システム及びその制御方法に関する。
【背景技術】
【０００２】
従来の充電システムには、ＡＣアダプタを用いて電子機器に装着された二次電池を充電する充電システムが知られている（例えば、特許文献１参照）。
【特許文献１】特開平８−２２３９０７号公報
【発明の開示】
【発明が解決しようとする課題】
【０００３】
しかしながら、上記の充電システムは、電子機器に装着された二次電池の充電に適した定電圧及び定電流をＡＣアダプタから電子機器に供給する構成ではない。また、上記の充電システムは、電子機器に接続された他の電子機器に装着された二次電池の充電に適した定電圧及び定電流をＡＣアダプタから電子機器を経由して他の電子機器に供給する構成ではない。そのため、電子機器の内部に二次電池の充電に適した定電圧及び定電流を生成しなければならず、電子機器の小型化及びコストダウンの妨げになるという問題があった。
【０００４】
そこで、本発明は、電子機器に装着された二次電池の充電又は電子機器に接続された他の電子機器に装着された二次電池の充電に適した定電圧及び定電流をＡＣアダプタから電子機器に供給することができる充電システム及び制御方法を提供することを目的としている。
【課題を解決するための手段】
【０００５】
上記目的を達成するために本発明に係る充電システムは、充電特性が異なる複数種類の二次電池が装着される電子機器と、前記二次電池の充電出力を行うＡＣアダプタとを有する充電システムにおいて、前記二次電池の種類を識別する二次電池識別手段と、充電出力を変更する充電出力変更手段とを有し、前記充電出力変更手段は、前記二次電池識別手段により識別した二次電池の種類に応じて充電出力を変更することを特徴とする。
【０００６】
また、上記目的を達成するために本発明に係る充電システムは、第１の二次電池が装着される第１の電子機器と、前記第１の二次電池とは異なる充電特性を有する第２の二次電池が装着される第２の電子機器と、前記第１及び第２の二次電池の充電出力を行うＡＣアダプタとを有する充電システムにおいて、前記第１及び第２の二次電池の種類を識別する二次電池識別手段と、充電出力を変更する充電出力変更手段とを有し、前記充電出力変更手段は、前記二次電池識別手段により識別した二次電池の種類に応じて充電出力を変更することを特徴とする。
【０００７】
また、上記目的を達成するために本発明に係る制御方法は、充電特性が異なる複数種類の二次電池が装着される電子機器と、前記二次電池の充電出力を行うＡＣアダプタとを有する充電システムを制御する制御方法において、前記二次電池の種類を識別する二次電池識別工程と、充電出力を変更する充電出力変更工程とを有し、前記充電出力変更工程は、前記二次電池識別工程により識別した二次電池の種類に応じて充電出力を変更することを特徴とする。
【０００８】
また、上記目的を達成するために本発明に係る制御方法は、第１の二次電池が装着される第１の電子機器と、前記第１の二次電池とは異なる充電特性を有する第２の二次電池が装着される第２の電子機器と、前記第１及び第２の二次電池の充電出力を行うＡＣアダプタとを有する充電システムを制御する制御方法において、前記第１及び第２の二次電池の種類を識別する二次電池識別工程と、充電出力を変更する充電出力変更工程とを有し、前記充電出力変更工程は、前記二次電池識別工程により識別した二次電池の種類に応じて充電出力を変更することを特徴とする。
【発明の効果】
【０００９】
本発明によれば、電子機器に装着された二次電池の充電又は電子機器に接続された他の電子機器に装着された二次電池の充電に適した定電圧及び定電流をＡＣアダプタから電子機器に供給することができる。
【発明を実施するための最良の形態】
【００１０】
以下、本発明に好適な実施の形態について図面を参照して説明する。
【００１１】
（第１の実施の形態）
まず、第１の実施の形態を図１乃至図３を用いて説明する。
【００１２】
図１は、本実施の形態に係る充電システムの構成を示すブロック図である。
【００１３】
図１において、１０１はＡＣアダプタ、１２５は電子機器、１４３は電子機器１２５に着脱可能な二次電池Ａ、１４７は電子機器１２５に着脱可能な二次電池Ｂである。
【００１４】
電子機器１２５は、デジタルカメラ、デジタルビデオカメラ等の画像入力装置であり、二次電池Ａ１４３又は二次電池Ｂ１４７を電子機器１２５に装着された状態で二次電池Ａ１４３又は二次電池Ｂ１４７を充電する充電装置である。二次電池Ｂ１４７は、二次電池Ａ１４３とは異なる充電特性を有する。また、電子機器１２５は、二次電池Ａ１４３及び二次電池Ｂ１４７を同時に装着できる構成であっても、選択的に装着できる構成であっても良い。
【００１５】
ＡＣアダプタ１０１は、ＡＣ入力部１０２、一次フィルタ回路１０３、一次整流回路１０４、トランス１０５、発振制御回路１０６、フォトカプラ１０７、二次整流回路１０８、フォトカプラ１０７の電流制限抵抗１０９、出力電流を検出する抵抗器１１０、レギュレータ１１１、オペアンプ１１２、出力電圧を調整するボリウム１１３、出力電圧を分圧する抵抗器１１４、出力電流を調整する抵抗器１１５，１１６、出力電流を帰還する抵抗器１１７、抵抗器１１８、定電圧の値を変更する定電圧制御部１１９、抵抗器１２０、定電流の値を変更する定電流制御部１２１、制御端子１２２、＋端子１２３、−端子１２４を有する。
【００１６】
電子機器１２５は、制御端子１２６、＋端子１２７、−端子１２８、制御部１２９、第１の急速充電スイッチ１３０、第２の急速充電スイッチ１３１、トリクル充電を行う第１の抵抗器１３２、第１のトリクル充電スイッチ１３３、トリクル充電を行う第２の抵抗器１３４、第２のトリクル充電スイッチ１３５、充電電流を検出する第３の抵抗器１３６、＋端子１３７、二次電池Ａ１４３の着脱を検出する第１の検出部１３８、−端子１３９、＋端子１４０、二次電池Ｂ１４７の着脱を検出する第２の検出部１４１、−端子１４２を有する。制御部１２９は、二次電池Ａ１４３及び二次電池Ｂ１４７の充電を制御するマイクロコンピュータと、二次電池Ａ１４３及び二次電池Ｂ１４７の充電特性に関する情報を記憶したメモリとを有する。
【００１７】
二次電池Ａ１４３は、電子機器１２５の電源の一つであり、＋端子１４４及び−端子１４６を有する。二次電池Ｂ１４７は、電子機器１２５の電源の一つであり、＋端子１４８及び−端子１５０を有する。
【００１８】
ＡＣアダプタ１０１の制御端子１２２、＋端子１２３及び−端子１２４に、電子機器１２５の制御端子１２６、＋端子１２７及び−端子１２８がそれぞれ接続される。また、電子機器１２５の＋端子１３７及び−端子１３９に二次電池Ａ１４３の＋端子１４４及び−端子１４６がそれぞれ接続される。また、電子機器１２５の＋端子１４０及び−端子１４２に、二次電池Ｂの＋端子１４８及び−端子１５０がそれぞれ接続される。
【００１９】
図１において、ＡＣアダプタ１０１のＡＣ入力部１０２がＡＣ電源に接続されると、出力電圧は、ボリウム１１３と抵抗器１１４とによりオペアンプ１１２に帰還され、フォトカプラ１０７を介して発振制御回路１０６により定電圧制御される。このＤＣ出力の電圧は、ボリウム１１３により二次電池の充電電圧に調整される。また、出力電流は、電流検出抵抗１１０の両端の電圧がＤＣ出力に供給される電流に比例するため、抵抗１１５及び１１６により設定される。また、抵抗１１７、オペアンプ１１２を介してフォトカプラ１０７に接続され、発振制御回路１０６により定電流制御される。
【００２０】
二次電池Ｂ１４７が電子機器１２５に装着されると、電子機器１２５の制御部１２９は二次電池Ｂ１４７の装着を認識する。そして、二次電池Ｂ１４７の充電を行う場合、制御部１２９は二次電池Ａ１４３の充電に適した定電圧の値を制御端子１２６及び１２２を介して定電圧制御部１１９に通知すると共に、二次電池Ａ１４３の充電に適した定電流の値を制御端子１２６及び１２２を介して定電流制御部１２１に通知する。ＡＣアダプタ１０１は、二次電池Ｂ１４７の充電に適した定電圧及び定電流を生成し、それらを電子機器１２５に供給する。
【００２１】
電子機器１２５の制御部１２９は、二次電池Ｂ１４７の電圧を測定し、電圧が低い状態ではトリクル充電を行う。そして、トリクル充電スイッチ１３５をオン（ＯＮ）し、抵抗器１３４を介してトリクル充電を行う。電池電圧が二次電池Ｂ１４７の急速充電に適した値まで上昇すると、急速充電スイッチ１３１をオン（ＯＮ）し、二次電池Ｂ１４７に対して急速充電を行う。二次電池Ｂ１４７の充電中は、抵抗器１３６の両端の電圧を測定し、充電電流が予め設定した値まで減少すると充電完了表示を行い、補充電に移行する。この補充電は、通常タイマ制御を行い、一定時間後にスイッチ１３１をオフ（ＯＦＦ）して、二次電池Ｂ１４７に対する充電を終了する。
【００２２】
電子機器１２５に二次電池Ａ１４３が装着されると、電子機器１２５の制御部１２９は、二次電池Ａ１４３の装着を認識する。そして、二次電池Ａ１４３の充電を行う場合、制御部１２９は二次電池Ｂ１４７の充電に適した定電圧の値を制御端子１２６及び１２２を介して定電圧制御部１１９に通知すると共に、二次電池Ｂ１４７の充電に適した定電流の値を制御端子１２６及び１２２を介して定電流制御部１２１に通知する。ＡＣアダプタ１０１は、二次電池Ａ１４３の充電に適した定電圧及び定電流を生成し、それらを電子機器１２５に供給する。
【００２３】
電子機器１２５の制御部１２９は、二次電池Ａ１４３の電圧を測定し、その電圧が低い状態ではトリクル充電を行う。そして、トリクル充電スイッチ１３３をオン（ＯＮ）し、抵抗器１３２を介してトリクル充電を行う。電池電圧が二次電池Ａ１４３の急速充電に適した値まで上昇すると、急速充電スイッチ１３０をオン（ＯＮ）し、二次電池Ａ１４３に対して急速充電を行う。二次電池Ａ１４３の充電中は、抵抗器１３６の両端の電圧を測定し、充電電流が予め設定した値まで減少すると充電完了表示を行い、補充電に移行する。この補充電は、通常タイマ制御を行い、一定時間後にスイッチ１３０をオフ（ＯＦＦ）して、二次電池Ａ１４３に対する充電を終了する。
【００２４】
尚、図１では、電子機器１２５が直接ＡＣアダプタ１０１の回路を操作する構成を説明したが、ＡＣアダプタ１０１にマイクロコンピュータを有する制御部を搭載し、電子機器１２５のマイクロコンピュータとＡＣアダプタ１０１のマイクロコンピュータとの間で通信を行い、ＡＣアダプタ１０１側のマイクロコンピュータが出力特性の変更を行うように構成しても良い。また、電子機器１２５とＡＣアダプタ１０１との間で通信を行うための通信手段は、シリアル通信、パラレル通信の有線通信、赤外線通信、電波通信、音源通信等を使用する通信手段であっても良い。
【００２５】
次に、本実施の形態に係る充電システムの充電処理について図２のフローチャートを用いて説明する。図２で説明する充電処理は、電子機器１２５にＡＣアダプタ１０１が接続され、且つ、ＡＣアダプタ１０１がＡＣ電源に接続されているときに自動的に開始される。
【００２６】
ステップＳ２０１：制御部１２９は、充電すべき二次電池を選択する。充電すべき二次電池の選択は、例えば、残量の少ない二次電池から順番に選択されるものとする。充電すべき二次電池が二次電池Ａ１４３である場合はステップＳ２０２に進み、充電すべき二次電池が二次電池Ｂ１４７である場合はステップＳ２０３に進む。
【００２７】
ステップＳ２０２：制御部１２９は、二次電池Ａ１４３の充電に適した定電圧の値を制御端子１２６及び１２２を介して定電圧制御部１１９に通知すると共に、二次電池Ａ１４３の充電に適した定電流の値を制御端子１２６及び１２２を介して定電流制御部１２１に通知する。そして、制御部１２９は、二次電池Ａ１４３の充電を開始する。なお、二次電池Ａ１４３の充電に適した定電圧及び定電流の値は、制御部１２９内のメモリが記憶している。二次電池Ａ１４３の充電が終了した場合はステップＳ２０１に進む。
【００２８】
ステップＳ２０３：制御部１２９は、二次電池Ｂ１４７の充電に適した定電圧の値を制御端子１２６及び１２２を介して定電圧制御部１１９に通知すると共に、二次電池Ｂ１４７の充電に適した定電流の値を制御端子１２６及び１２２を介して定電流制御部１２１に通知する。そして、制御部１２９は、二次電池Ｂ１４７の充電を開始する。なお、二次電池Ｂ１４７の充電に適した定電圧及び定電流の値は、制御部１２９内のメモリが記憶している。二次電池Ｂ１４７の充電が終了した場合はステップＳ２０１に進む。
【００２９】
図３は、本実施の形態に係る充電システムの充電特性の一例を示す図である。図３では、例えば、二次電池Ａ１４３及び二次電池Ｂ１４７がリチウムイオン二次電池である場合を説明する。
【００３０】
図３の左上部は充電時間と充電電圧との関係を示し、図３の下部は充電時間と充電電流との関係を示し、図３の右上部は出力電流と出力電圧との関係を示す。
【００３１】
図３において、ａは二次電池Ａ１４３の急速充電開始点、ｂは二次電池Ａ１４３の充電電圧、ｃは二次電池Ａ１４３の急速充電電流、ｄは二次電池Ｂ１４７の急速充電開始点、ｅは二次電池Ｂ１４７の充電電圧、ｆは二次電池Ｂ１４７の急速充電電流、ｇは二次電池Ａ１４３の定電流充電開始点、ｈは二次電池Ａ１４３の定電流充電終了点、ｉは二次電池Ａ１４３の定電圧充電終了点、ｊは二次電池Ａ１４３の補充電終了点、ｋは二次電池Ｂ１４７の定電流充電開始点、ｌは二次電池Ｂ１４７の定電流充電終了点、ｍは二次電池Ｂ１４７の定電圧充電終了点、ｎは二次電池Ｂ１４７の補充電終了点である。
【００３２】
二次電池Ａ１４３を充電する場合、制御部１２９は電池電圧が急速充電開始電圧ａに至るまでトリクル充電を行い、二次電池Ａ１４３の充電電圧が急速充電開始電圧ａまで上昇すると急速充電を開始する。この急速充電は、二次電池Ａ１４３の電圧が充電電圧ｂに達するまで定電流で行われる。このとき、充電電流は急速充電電流ｃに制御される。二次電池Ａ１４３の電圧が充電電圧ｂに達すると、制御部１２９は定電圧での急速充電を行う。このとき、充電電流は二次電池Ａ１４３の充電特性に従って定電圧充電終了点ｉまで垂下する。充電電流が定電圧充電終了点ｉまで低下すると、制御部１２９は二次電池Ａ１４３の充電が完了したことをユーザに通知すると共に、補充電を行う。補充電が終了した後、制御部１２９は二次電池Ａ１４３の充電を完了する。
【００３３】
二次電池Ｂ１４７を充電する場合、制御部１２９は電池電圧が急速充電開始電圧ｄに至るまでトリクル充電を行い、二次電池Ｂ１４７の充電電圧が急速充電開始電圧ｄまで上昇すると急速充電を開始する。この急速充電は、二次電池Ｂ１４７の電圧が充電電圧ｅに達するまで定電流で行われる。このとき、充電電流は急速充電電流ｆに制御される。二次電池Ｂ１４７の電圧が充電電圧ｅに達すると、制御部１２９は定電圧での急速充電を行う。このとき、充電電流は二次電池Ｂ１４７の充電特性に従って定電圧充電終了点ｍまで垂下する。充電電流が定電圧充電終了点ｍまで低下すると、制御部１２９は二次電池Ｂ１４７の充電が完了したことをユーザに通知すると共に、補充電を行う。補充電が終了した後、制御部１２９は、二次電池Ｂ１４７の充電を完了する。
【００３４】
本実施の形態に係る充電システムによれば、電子機器１２５に装着された二次電池（二次電池Ａ１４３及び二次電池Ｂ１４７）の充電に適した定電圧及び定電流をＡＣアダプタから電子機器に供給することができる。
【００３５】
また、本実施の形態に係る充電システムによれば、電子機器１２５内に複数種類の二次電池の充電特性に適したＤＣ／ＤＣコンバータを設ける必要がなくなるので、電子機器１２５の小型化、コストダウンが可能になる。
【００３６】
（第２の実施の形態）
次に、第２の実施の形態を図４を用いて説明する。
【００３７】
図４は、本実施の形態に係る充電システムの構成を示すブロック図である。図４において、上述の第１の実施の形態の図１と同一部分には、同一の符号を付す。
【００３８】
本実施の形態と第１の実施の形態とが異なる点は、二次電池Ｂ１４７を他の電子機器４０１の電源とし、電子機器１２５と他の電子機器４０１とを接続可能に構成した点である。
【００３９】
電子機器４０１は、＋端子４０２、通信端子４０３、−端子４０４、制御部４０５、＋端子４０６、二次電池Ｂ１４７が電子機器４０１に装着されたことを検出する検出部４０７及び−端子４０８を有する。電子機器４０１は、電子機器１２５から出力された画像データを表示する表示装置であっても、電子機器１２５から出力された画像データを所定の印刷用紙に印刷する印刷装置であっても良い。
【００４０】
本実施の形態に係る充電システムでは、電子機器１２５の＋端子１４０、通信端子１４１及び−端子１４２に電子機器４０１の＋端子４０２、通信端子４０３及び−端子４０４がそれぞれ接続される。また、電子機器４０１の＋端子４０６及び−端子４０８に、二次電池Ｂ１４７の＋端子１４８及び−端子１５０がそれぞれ接続される。
【００４１】
電子機器４０１の制御部４０５は、二次電池Ｂ１４７が電子機器４０１に装着されたことを示すデータを通信端子４０３及び通信端子１４１を介して電子機器１２５の制御部１２９に送信する機能を有する。また、制御部４０５は、二次電池Ｂ１４７の残量を示すデータを通信端子４０３及び通信端子１４１を介して電子機器１２５の制御部１２９に送信する機能をも有する。電子機器１２５の制御部１２９は、図２に示すように、充電すべき二次電池を選択して二次電池Ａ１４３及び二次電池Ｂ１４７の充電を順次行う。
【００４２】
電子機器１２５の制御部１２９は、充電特性の異なる二次電池Ａ１４３と二次電池Ｂ１４７の充電制御を行う。二次電池Ｂ１４７を充電する場合、二次電池Ｂ１４７の充電に適した定電圧及び定電流は、電子機器１２５を経由してＡＣアダプタ１０１から電子機器４０１に供給される。
【００４３】
二次電池Ａ１４３及び二次電池Ｂ１４７の充電状態（開始、充電中、完了等を含む）は、電子機器１２５で表示しても、電子機器４０１で表示しても良い。
【００４４】
なお、本実施の形態に係る充電システムのその他の構成及び作用は、上述の第１の実施の形態と同一であるから、その説明は省略する。また、本実施の形態に係る充電システムの充電特性も、上述の第１の実施の形態と同一であるので、その説明を省略する。
【００４５】
本実施の形態に係る充電システムによれば、電子機器１２５に装着された二次電池Ａ１４３の充電に適した定電圧及び定電流をＡＣアダプタ１０１から電子機器１２５に供給することができ、電子機器１２５に接続された他の電子機器４０１に装着された二次電池Ｂ１４７の充電に適した定電圧及び定電流をＡＣアダプタ１０１から電子機器１２５を経由して電子機器４０１に供給することができる。
【００４６】
また、本実施の形態に係る充電システムによれば、電子機器１２５及び電子機器４０１内に複数種類の二次電池の充電特性に適したＤＣ／ＤＣコンバータを設ける必要がなくなるので、電子機器１２５及び電子機器４０１の小型化、コストダウンが可能になる。
【００４７】
（第３の実施の形態）
次に、第３の実施の形態を図５を用いて説明する。
【００４８】
図５は、本実施の形態に係る充電システムの構成を示すブロック図である。図５において、上述の第２の実施の形態の図４と同一部分には同一の符号を付す。但し、本実施の形態では、電子機器１２５がプリンタ等の画像出力装置であり、他の電子機器５０１がデジタルカメラ、デジタルビデオカメラ等の画像入力装置である場合を説明する。
【００４９】
電子機器５０１は、レンズ５０２、操作部５０３、メモリ５０４、制御部５０５及びＬＣＤ（液晶表示器）５０６、＋端子５０７、通信端子５０８、−端子５０９、＋端子５１０、二次電池Ｂ１４７が電子機器５０１に装着されたことを検出する検出部５１１及び−端子５１２を有する。
【００５０】
本実施の形態に係る充電システムでは、電子機器１２５の＋端子１４０、通信端子１４１及び−端子１４２に電子機器５０１の＋端子５０７、通信端子５０８及び−端子５０９がそれぞれ接続される。また、電子機器５０１の＋端子５１０及び−端子５１２に二次電池Ｂ１４７の＋端子１４８及び−端子１５０がそれぞれ接続される。
【００５１】
電子機器５０１の制御部５０５は、二次電池Ｂ１４７が電子機器５０１に装着されたことを示すデータを通信端子５０８及び通信端子１４１を介して電子機器１２５の制御部１２９に送信する機能を有する。また、制御部４０５は、二次電池Ｂ１４７の残量を示すデータを通信端子５０８及び通信端子１４１を介して電子機器１２５の制御部１２９に送信する機能をも有する。電子機器１２５の制御部１２９は、図２に示すように、充電すべき二次電池を選択して二次電池Ａ１４３及び二次電池Ｂ１４７の充電を順次行う。
【００５２】
電子機器１２５の制御部１２９は、充電特性の異なる二次電池Ａ１４３と二次電池Ｂ１４７の充電制御を行う。二次電池Ｂ１４７を充電する場合、二次電池Ｂ１４７の充電に適した定電圧及び定電流は、電子機器１２５を経由してＡＣアダプタ１０１から電子機器５０１に供給される。
【００５３】
電子機器５０１の制御部５０５は、二次電池Ｂ１４７を認識すると共に、電子機器５０１のモードの認識（制御）を行い、必要に応じて、その情報を電子機器１２５の制御部１２９に伝達する機能を有する。
【００５４】
二次電池Ａ１４３及び二次電池Ｂ１４７の充電状態（開始、充電中、完了等を含む）は、電子機器１２５で表示しても、電子機器５０１で表示しても良い。例えば、電子機器５０１のＬＣＤ５０６に表示しても良い。
【００５５】
なお、本実施の形態に係る充電システムのその他の構成及び作用は、上述の第１の実施の形態と同一であるから、その説明は省略する。また、本実施の形態に係る充電システムの充電特性も、上述の第１の実施の形態と同一であるので、その説明を省略する。
【００５６】
本実施の形態に係る充電システムによれば、電子機器１２５に装着された二次電池Ａ１４３の充電に適した定電圧及び定電流をＡＣアダプタ１０１から電子機器１２５に供給することができ、電子機器１２５に接続された他の電子機器５０１に装着された二次電池Ｂ１４７の充電に適した定電圧及び定電流をＡＣアダプタ１０１から電子機器１２５を経由して電子機器５０１に供給することができる。
【００５７】
また、本実施の形態に係る充電システムによれば、電子機器１２５及び電子機器５０１内に複数種類の二次電池の充電特性に適したＤＣ／ＤＣコンバータを設ける必要がなくなるので、電子機器１２５及び電子機器５０１の小型化、コストダウンが可能になる。
【００５８】
また、本実施の形態に係る充電システムによれば、電子機器５０１が有するＬＣＤ５０６を使用して二次電池Ａ１４３、二次電池Ｂ１４７またはそれらの充電の状態を表示することも可能である。
【００５９】
更に、本実施の形態に係る充電システムによれば、電子機器５０１の操作部５０３を使用して電子機器１２５に接続された二次電池Ｂ１４７の充電の制御を行うこともできるので、操作性の向上を図ることもできる。
【図面の簡単な説明】
【００６０】
【図１】第１の実施の形態に係る充電システムの構成を示すブロック図である。
【図２】第１の実施の形態に係る充電システムの充電処理を示すフローチャートである。
【図３】第１乃至第３の実施の形態に係る充電システムの充電特性の一例を示す図である。
【図４】第２の実施の形態に係る充電システムの構成を示すブロック図である。
【図５】第３の実施の形態に係る充電システムの構成を示すブロック図である。
【符号の説明】
【００６１】
１０１    ＡＣアダプタ
１２５    電子機器（第１の電子機器）
１２９    制御部
１４３    二次電池Ａ
１４７    二次電池Ｂ
４０１    他の電子機器（第２の電子機器）
４０５    制御部
５０１    他の電子機器（第２の電子機器）
５０５    制御部
【図１】
2005354874.tif 000003
【図２】
2005354874.tif 000004
【図３】
2005354874.tif 000005
【図４】
2005354874.tif 000006
【図５】
2005354874.tif 000007